(57)【特許請求の範囲】
【請求項１】
扉と、扉枠とを備え、扉は、パネルと、パネルの室内側面に取付けた上下の横フレーム及び左右の竪フレームとを有し、左右の竪フレームのうちの吊元側竪フレーム又は上下の横フレームは扉枠に軸支してあり、戸先側竪フレームと扉枠とのうちの一方に、扉を扉枠に係止する係止部材を設け、他方に係止部材の被係止部を設けてあり、少なくとも上横フレーム及び左右の竪フレームは、各々扉の外周側を向く外周側傾斜面とタイト材とを有し、タイト材は外周側傾斜面に対して略同一面で連続するタイト傾斜面を有し、タイト材のタイト傾斜面が扉枠の上及び左右枠の室外側コーナ部に当接することを特徴とするドア。
【発明の詳細な説明】
【技術分野】
【０００１】
本発明は、ドアに関する。
【背景技術】
【０００２】
特許文献１には、扉を閉じたときに、扉パネルの室内側面が扉枠の室外側面に当接することが開示されており、扉パネルには、パネルに取付けたドアクローザー８（特許文献１の符号）に係止部材を設け、扉枠に被係止部を設けることが開示されている。
特許文献２には、扉パネルの左右端に各々竪フレームを取付け、パネルの上下端に各々横フレームを取付け、戸先側竪フレームに係合部材を設け、扉枠に係合部材の被係合部を設けたことが開示されている。
【０００３】
【特許文献１】実開平６−６２１８１号公報
【特許文献２】特開平２−１８６６９６号公報
【発明の開示】
【発明が解決しようとする課題】
【０００４】
特許文献１では、ドアクローザーを扉に貫設しているので、パネルに孔あけ等の加工が必要になり、パネルの交換が困難でコストアップになるという問題がある。
特許文献２では、パネルの端にフレームを取付けている為に、フレームが室外側にも露出してしまうから外観に劣るという問題がある。また、パネル端部が曲線になっている場合等にはフレームの取付けが困難になる為、パネルの意匠が制限されるという問題がある。
【０００５】
そこで、本発明は、扉が扉枠の室外側に位置して扉を閉じるドアにおいて、パネルの穴あけ加工等が不用で、パネルの交換が容易で、外観に優れ且つパネル意匠の自由度が高いドアの提供を目的とする。
【課題を解決するための手段】
【０００６】
請求項１に記載の発明は、扉と、扉枠とを備え、扉は、パネルと、パネルの室内側面に取付けた上下の横フレーム及び左右の竪フレームとを有し、左右の竪フレームのうちの吊元側竪フレーム又は上下の横フレームは扉枠に軸支してあり、戸先側竪フレームと扉枠とのうちの一方に、扉を扉枠に係止する係止部材を設け、他方に係止部材の被係止部を設けてあり、少なくとも上横フレーム及び左右の竪フレームは、各々扉の外周側を向く外周側傾斜面とタイト材とを有し、タイト材は外周側傾斜面に対して略同一面で連続するタイト傾斜面を有し、タイト材のタイト傾斜面が扉枠の上及び左右枠の室外側コーナ部に当接することを特徴とする。
【０００７】
【０００８】
【発明の効果】
【０００９】
請求項１に記載の発明によれば、扉を閉じたときに扉枠の室外側に扉が位置するドアにおいて、上下の横フレーム及び左右の竪フレームはパネルの室内側面に取付けているので、室外側からはこれらのフレームが見えないので外観が良い。
上下の横フレーム及び左右の竪フレームはパネルの室内側面に取付けているので、各フレームの取付けにパネルの形状や寸法等の制約を受け難いので、パネル意匠の自由度が高い。
扉を扉枠に係止する係止部材と被係止部は、戸先側竪フレーム及び扉枠に設けてあるから、係止部材や被係止部を取付ける為にパネルに孔あけ等の加工をしないで済み、パネルの交換が容易に行える。
【００１０】
【００１１】
扉を閉じたときに上横フレーム及び左右の竪フレームに設けたタイト材のタイト傾斜面に扉枠の室外側コーナ部が当接することにより、タイト材は室外側コーナ部が当接する部分のみが局部的に変形できるので、タイト材の変形が容易にでき、扉と扉枠との間の気密性を高めることができる。
タイト材の傾斜面に扉枠のコーナ部が当接するので、タイト材におけるコーナ部の当接位置に幅を持たせることができるので、施行誤差や経時変化による多少のずれがあっても気密性を保持することができる。
タイト材のタイト傾斜面とフレームの外周側傾斜面とが略同一面で連続しているので、扉の開状態における室内側外観が良好である。
タイト材を当接させる為に、扉枠の形状を格別な形状にする必要がないので、適用範囲が限定されない。
【発明を実施するための最良の形態】
【００１２】
以下に、添付図面を参照して本発明の実施の形態を説明する。図１は図６に示すドアのＡ−Ａ断面図であり、図２は図６に示すドアのＢ−Ｂ断面図であり、図３は図６に示すドアのＣ−Ｃ断面図であり、図４はドアの扉を室内側から見た裏面図であり、図５（ａ）は扉の下部を切断して示す横断面図であり、（ｂ）は扉の下部を（ａ）のＥ−Ｅ位置で切断した縦断面図であり、図６は本実施の形態にかかるドアの収まり状態を室外側から見た正面図である。
本発明の実施の形態にかかるドア１は、玄関ドアであり、躯体開口部に固定された扉枠３と、扉枠３の内周側開口を開閉する扉５を備えている。
扉枠３は上枠７、吊元側枠（左右の枠）９、戸先側枠（左右の枠）１０及び下枠１３を有し、上枠７、吊元側枠９及び戸先側枠１０は、各々扉枠３の内周側の室外側にコーナ部１５を有している。尚、本実施の形態では上枠７には、庇８が一体に形成してある。
下枠１３は上面１３ａに段差がなく、上面１３ａは室外側が下方に傾斜している。
扉５は、パネル１７と、パネル１７の室内側面に取付けた上横フレーム１９、下横フレーム２１、吊元側竪フレーム（左右の竪フレーム）２３、及び戸先側竪フレーム（左右の竪フレーム）２４を有し、これらのフレームはパネル１７の室内側面で周方向に連続して取付けられている。
図３に示すように、吊元側竪フレーム２３はヒンジ１６により吊元側枠１０に対して回転自在に軸支されている。
図２に示すように、戸先側枠１０には扉５を扉枠３に係止する係止部材４５が設けてあり、戸先側竪フレーム２４には係止部材４５の被係止部４７が設けてある。係止部材４５は、戸先側枠１０に設けた錠装置４９から突設自在なデッドボルトであり、被係止部４７はデッドボルト受けであり、戸先側枠１０に設けたサムターン５１を二点鎖線で示す縦位置から実線で示す横位置に回動操作するにより係止部材４５が二点鎖線で示す位置から実線位置に突設して被係止部４７に係止するようになっている。
また、戸先側竪フレーム２４には、室外側から操作する室外側ハンドル５３と室内側から操作する室内側ハンドル５５とが取付けてある。室外側ハンドル５５はパネル１７の戸先側端１７ｂの横から室外側に突設して設けてある。
パネル１７は、扉枠３の内周空間よりも大きい面積を有しており、扉を閉じたときに扉枠３の室外側に位置するものである。
上横フレーム１９、吊元側竪フレーム２３、及び戸先側竪フレーム２４は、各々室内側に突設した部分の横断面が略台形を成しており、扉の内周側を向いて傾斜した内周側傾斜面２５と、扉の外周側を向いて傾斜した外周側傾斜面２７と、内周側傾斜面２５と外周側傾斜面２７との間にある平坦面２９を有しおり、平坦面２９はパネル１７の室内面１７ａと略平行である。
上横フレーム１９と、吊元側竪フレーム２３、及び戸先側竪フレーム２４の各々には、扉の外周側に、フレームの長手方向に設けたタイト材取付溝３１が形成されている。
タイト材３３は、扉の外周側を向いて傾斜したタイト傾斜面３３ａを有しており、タイト傾斜面３３ａは、各フレーム１９、２３、２３の内周側傾斜面２７と略同一面で連続している。尚、タイト材３３は上フレーム１９及び左右のフレーム２３、２３の長手方向にも連続して設けてある。
下横フレーム２１には、扉を閉じたときに下降し扉を開けたときに上昇するボトムタイト材３５が設けてある。ボトムタイト材３５は、図５に示すように、扉５の吊元側端部側にトリガ３７が突設してあり、トリガ３７の先端が案内部材３９に案内されて、扉５が閉じ位置にあるときには下横フレーム２１に押し込まれることによりボトムタイト材３５とタイト材ケース３６との連結部４１が下降して下位置にあり、扉が開き位置（図５（ａ）に二点鎖線で示す）あるときには、トリガ３７が下横フレームから離れる位置に復帰することにより、連結部４１が上昇して上位置に位置することにより、ボトムタイト材３５が昇降するようになっている。
【００１３】
次に、本実施の形態にかかるドアの作用及び効果について説明する。扉５を開き位置（図３の二点鎖線で示す）から閉じ位置に回動すると、扉５のパネル１７は枠３の室外側に位置して、パネル１７の室内側面１７ａに設けた上横フレーム、戸先側竪フレーム（左右の竪フレーム）２４及び吊元側竪フレーム（左右の竪フレーム）が扉枠３の室外側面３ａに当接する。
パネル１７の室内側面１７ａに設けた上横フレーム１９では、外周側に設けたタイト材３３のタイト傾斜面３３ａが上枠７の室外側コーナ部１５に当接し、タイト材３３のタイト傾斜面３３ａでは、コーナ部１５の当接部分のみが局所的に変形して上枠７の室外側コーナ部１５に圧接する。同様に、図２及び図３に示す左右のフレーム２３においてもタイト材３３のタイト傾斜面３３ａが対向する左右の枠９、９の室外側コーナ部１５に当接する。したがって、上及び左右の各フレーム１９、２３、２３に設けたタイト材３３では、タイト傾斜面３３ａに対向する各枠７、９、９の室外側コーナ部１５が当接するので、タイト材３３が局所的に変形し、扉５と扉枠３との間を気密に保持する。
本実施の形態によれば、扉５を閉じた状態では、上下の横フレーム１９、２１、吊元側竪フレーム（左右の竪フレーム）２３及び戸先側竪フレーム（左右の竪フレーム）２４は、パネル１７の室内側面１７ａに取付けているので、室外側からはこれらのフレーム１９、２１、２３、２４が見えないので外観が良い。
上下の横フレーム１９、２１、吊元側竪フレーム（左右の竪フレーム）２３及び戸先側竪フレーム（左右の竪フレーム）２４はパネル１７の室内側面１７ａに取付けているので、各フレームの取付けにパネル１７の形状や寸法の制約を受け難いので、パネル意匠の自由度が高い。
上下の横フレーム１９、２１、吊元側竪フレーム（左右の竪フレーム）２３及び戸先側竪フレーム（左右の竪フレーム）２４はパネル１７の室内側面１７ａに取付けているので、パネル１７の厚みや寸法が異なる場合でも、同種の横フレーム１９、２１及び竪フレーム２３、２４を用いることができ、各フレーム１９、２１、２３、２４の種類を少なくできる。
扉５を扉枠３に係止する係止部材４５は扉枠３に設けてあり、被係止部４７は戸先側竪フレーム２４に設けてあるから、係止部材４５や被係止部４７を設ける為にパネル１７に孔あけ等の加工をしないで済み、パネル１７の交換が容易に行える。
室内側ハンドル５５及び室外側ハンドル５３が戸先側竪フレーム２４に取付けてあるので、パネル１７の室内側面１７ａに戸先側竪フレーム２４を取付けるだけで室内側ハンドル５５と室外側ハンドル５３を設けることができる。
室外側ハンドル５３はパネル１７の戸先側端１７ｂの横から室外側に突設しているので、パネル１７の室内側面１７ａに取付けた戸先側竪フレーム２４に室外側ハンドル５３を設けても、パネル１７に孔あけ等の加工をしないで済む。
タイト材３３は扉枠３の室外側コーナ部１５が当接する部分のみが局部的に変形できるので、扉５を閉じたときに、タイト材３３の変形が容易にでき、扉５と扉枠３との間の気密性を高めることができる。
扉枠３の室外側コーナ部１５はタイト材３３のタイト傾斜面３３ａに当接するから、室外側コーナ部１５との当接位置に幅を持たせることができるので、施行誤差や経時変化による多少のずれがあっても気密性を保持することができる。
タイト材３３のタイト傾斜面３３ａは、上左右のフレーム１９、２３、２３の外周側傾斜面２７と略同一面で連続しているので、扉５の開状態における室内側外観が良好である。
また、タイト材３３を当接させる為に、扉枠３の形状を格別な形状にする必要がないので、適用範囲が限定されない。
扉５を閉じた状態では、パネル１７は扉枠３の室外側に位置し、扉枠３内に収納されないから、パネル１７が扉枠３による寸法や形状の制限を受けないので、パネル１７の形状や寸法の自由度が高い。
【００１４】
本発明は、上述した実施の形態に限らず、本発明の要旨を逸脱しない範囲で種々変形可能である。
例えば、ドア１は玄関ドアに限らず、室内に設けるドアであってもよい。
扉枠３の下枠１３にも室外側コーナ部１５を設け、パネル１７に取付ける下フレーム２１にはボトムタイト材３５に換えて、上及び左右フレーム１９、２３、２３と同様に外周側を向く傾斜面３３ａを有するタイト材３３を取付けて、タイト材３３の傾斜面３３に下枠１３のコーナ部１５が当接する構成としても良い。
係止部材４５は戸先側竪フレームに突設自在に設け、被係止部４７を戸先側枠１０に設けてもよい。
係止部材４５は掛け金とし、被係止部材４７を掛け金受けとしても良い。
図７に示すように、パネル１７の室内側面には、上下の横フレーム１９、２１で左右の竪フレーム２３、２４を挟むように組みつけて、上横フレーム１９と下横フレーム２１とに各々ヒンジ１６を取付けて扉枠に軸支してもよい。
【図面の簡単な説明】
【００１５】
【図１】図６に示すドアのＡ−Ａ断面図である。
【図２】図６に示すドアのＢ−Ｂ断面図である。
【図３】図６に示すドアのＣ−Ｃ断面図である。
【図４】ドアの扉を室内側から見た裏面図である。
【図５】（ａ）は扉の下部を切断して示す横断面図であり、（ｂ）は扉の下部を（ａ）のＥ−Ｅ位置で切断した縦断面図である。
【図６】本実施の形態にかかるドアの収まり状態を室外側から見た正面図である。
【図７】他の実施の形態にかかるドアの扉を室内側から見た裏面図である。
【符号の説明】
【００１６】
１      ドア
３      扉枠
３ａ    扉枠の室外側面
５      扉
７      上枠
９      左右の枠
１５    室外側コーナ部
１７    パネル
１７ａ  パネルの室内側面
１９    上フレーム
２３    吊元側竪フレーム（左右のフレーム）
２４    戸先側竪フレーム（左右のフレーム）
２７    外周側傾斜面
３３    タイト材
３３ａ  タイト傾斜面
４５    係止部材
４７    被係止部
５３    室外側ハンドル
５５    室内側ハンドル
【図１】
0004775060.tif 000002
【図２】
0004775060.tif 000003
【図３】
0004775060.tif 000004
【図４】
0004775060.tif 000005
【図５】
0004775060.tif 000006
【図６】
0004775060.tif 000007
【図７】
0004775060.tif 000008